(57)【要約】      （修正有）【課題】農業用多目的作業架台走行車とソーラーホイストを備えた田芋ハウスを使用し、省エネ・機械化することで環境への配慮、収穫量の安定増収を可能にし、田芋の生産形態を変え、高齢者の負担も軽減し、若者の目を農業に向ける未来志向的な農業の提案する。【解決手段】ハウスの柱にブラケットを取付け、走行レールをブラケットに取付ける。走行レールは田芋の成長及び作業によって上下に可動し作業架台が走行する。架台フレーム前部に、作業に応じて耕運機や噴霧器等の農機具が取付けられ、遠隔操作ができる。作業架台の移設や田芋の積込みに使用できるソーラーホイストを移動スペース上部に設置する。必要に応じてビニール及びネットで養生し田芋を台風や害虫から守る。【選択図】図２
0003115764.tif 000002
【実用新案登録請求の範囲】
【請求項１】
ハウス栽培又は田芋生産における田圃に適宜のスパンを有して設けられた走行レール上を走行する農業用多目的作業架台走行車であって、架台上で農薬散布や収穫及び運搬ができ、動力を１２Ｖ電源としソーラーパネルにて充電することで環境にも配慮したことを特徴とする農業用多目的作業架台走行車。
【請求項２】
上記走行レールを汎用性の高い建築構造用鋼管とし柱にブラットにて取付け、田芋の成長や作業に応じて上下可動することを特徴とする請求項１に記載の農業用多目的作業架台走行車。
【請求項３】
架台フレーム前部に、作業に応じて耕運機や噴霧器等の農機具が取付けられ、遠隔操作ができることを特徴とする請求項１または２に記載の農業用多目的作業架台走行車。
【請求項４】
請求項１から３に記載の農業用多目的作業架台走行車の移設や田芋の積込みに使用でき、動力を１２Ｖ電源としソーラーパネルにて充電する事を特徴とするソーラーホイスト。
【請求項５】
請求項１から３に記載の農業用多目的作業架台走行車と請求項４に記載のソーラーホイストを備え、田芋の生産を植付けから収穫及び運搬まで全て機械化する田芋ハウスであって、必要に応じてビニール及びネットにて養生し田芋を台風や害虫から守る事を特徴とする田芋ハウス。
【考案の詳細な説明】
【技術分野】
【０００１】  本考案は、田芋を台風や害虫から守り、田芋の植付けから収穫及び運搬まで全て機械化する為の農業用多目的作業架台走行車とソーラーホイストを備えた田芋ハウスに関する。
【背景技術】
【０００２】  現在の田芋の生産は、ハウスを使用しない田圃にて行われている為、害虫の被害も大きく害虫処理に使用する薬品の量も年々増え土壌の環境問題になっている。【０００３】  田芋の成長時期と台風時期が重なる為、田圃での台風養生ができず大きな被害となっている。【０００４】  雑草等の除去の為に、田圃に足を踏み入れることにより根を損傷し収穫の２０％程度の減収となっている。
【特許文献１】  特開平３−１１２４０１号  公報
【考案の開示】
【考案が解決しようとする課題】
【０００５】  以上に述べた従来の生産方法だと、収穫量の安定及び増収は望めず、農薬に依存し、又生産者の高齢化に比例し田芋生産農家の減少につながる。【０００６】  本考案は、このような従来の問題を解決しようとするものであり、農業用多目的作業架台走行車とソーラーホイストを備えた田芋ハウスを使用し省エネ・機械化することで環境への配慮、収穫量の安定増収と田芋生産者の増加及び若者の雇用促進を目的とする。
【課題を解決するための手段】
【０００７】  そして、本考案は上記目的を達成するために農業用多目的作業架台走行車とソーラーホイストを使用することで、田圃に入ることなく架台上で下草処理が可能となり、薬品の散布も必要箇所に適宜散布できる為、薬品の量も減らすことができる。【０００８】  また、農業用多目的作業架台走行車とソーラーホイストを備えた田芋ハウスを使用することで田芋を台風や害虫から守り収穫の安定増収が可能になった。
【考案の効果】
【０００９】  本考案に係る農業用多目的作業架台走行車とソーラーホイストを備えた田芋ハウス使用することで省エネ・環境問題にも優れたものである。
【考案を実施するための最良の形態】
【００１０】  ハウスの柱にブラケットを取付け、走行レールをブラケットに取付ける。走行レールは田芋の成長及び作業によって上下に可動し作業架台が走行する。架台フレーム前部に、作業に応じて耕運機や噴霧器等の農機具が取付けられ、遠隔操作ができる。作業架台の移設や田芋の積込みに使用できるソーラーホイストを移動スペース上部に設置する。必要に応じてビニール及びネットで養生し田芋を台風や害虫から守る。
【実施例】
【００１１】  以下、添付図面に従って一実施例を説明する。ここに図１〜図１０は、本考案の農業用多目的作業架台走行車とソーラーホイストを備えた田芋ハウスの一実施例を示し、図１は正面図、図２は図１の全体姿図、図３は農業用多目的作業架台走行車の姿図、図４は図３の平面図、図５は図４の架台上部フレーム平面図，図６は図５の裏面図、図７は走行レール断面図、図８は図６の車輪平面図、図９は図５の起動部平面図、図１０は図１のソーラーホイスト正面図である。【００１２】  本実施例の農業用多目的作業架台走行車１とソーラーホイスト２を備えた田芋ハウス８は、概略するとハウス８柱にブラケット２７を取付け、ブラケット２７に走行レール１１設け上を走行する農業用多目的作業架台走行車１と作業架台の移設や田芋の積込みに使用できるソーラーホイスト２を移動スペース９上部に設置した田芋ハウス８である。【００１３】  農業用多目的作業架台走行車１は、田芋７の成長及び作業によって上下に可動し作業を容易にし、田圃６に足を踏み入れることなく架台上１で作業を行える。【００１４】  架台フレーム前部１４に、作業に応じて耕運機や噴霧器等の農機具が取付けられ、遠隔操作ができ、動力を１２Ｖ電源としソーラーパネル１０にて充電することができる。【００１５】  作業架台１の移設や田芋７の積込みに使用できるソーラーホイスト２を移動スペース上部９に設置し、田芋７の植付けから収穫及び運搬まで一貫した作業が機械で行える。【００１６】  必要に応じてビニール及びネットにて養生し田芋７を台風や害虫から守り、省エネ・環境問題も解決できる田芋ハウス８である。
【図面の簡単な説明】
【００１７】
【図１】  本考案の農業用多目的作業架台走行車とソーラーホイストを備えた田芋ハウスの一実施例を示す正面図である。
【図２】  図１の全体姿図である。
【図３】  図３は農業用多目的作業架台走行車の姿図である。
【図４】  図３の平面図である。
【図５】  図４の架台上部フレーム平面図である。
【図６】  図５の裏面図である。
【図７】  走行レール断面図である。
【図８】  図６の車輪平面図である。
【図９】  図５の起動部平面図である。
【図１０】  図１のソーラーホイスト正面図である。
【符号の説明】
【００１８】  １  農業用多目的作業架台走行車
２  ソーラーホイスト
３  走行レール部
４  起動部
５  充電部
６  田圃
７  田芋
８  田芋ハウス
９  移動スペース
１０  ソーラーパネル
１１  走行レール
１２  手摺
１３  作業面
１４  架台上部フレーム
１５  架台下部フレーム
１６  起動面
１７  バッテリー
１８  起動制御盤
１９  起動モーター
２０  チェーン
２１  シャフト
２２  ガイド車輪
２３  起動車輪
２４  ベアリング
２５  バネ
２６  レール補強鋼管
２７  ブラケット
２８  ロックピン
２９  ロックピン受け
３０  吊フック
３１  ベアリング取付けアングル
３２  起動ローラー
３３  ギヤー
３４  ベベルギヤー
３５  走行用チェーン
３６  走行用モーター
３７  走行ボックス
３８  積載リミットスイッチ
３９  巻上ギヤー
４０  減速ギヤー
４１  ドラム
４２  巻上用モーター
４３  巻上ボックス
４４  ホイスト用バッテリー
４５  ホイスト制御盤
４６  吊金物
４７  ホイストレール
４８  過巻防止スイッチ
４９  吊フック
【図１】
0003115764.tif 000003
【図２】
0003115764.tif 000004
【図３】
0003115764.tif 000005
【図４】
0003115764.tif 000006
【図５】
0003115764.tif 000007
【図６】
0003115764.tif 000008
【図７】
0003115764.tif 000009
【図８】
0003115764.tif 000010
【図９】
0003115764.tif 000011
【図１０】
0003115764.tif 000012